(57)【特許請求の範囲】
【請求項１】
表示領域の全域が、複数の変換候補から成る予測変換候補を表示するための変換候補表示領域と、未確定文字の入力編集を行うための入力編集領域と、に区画設定された表示手段と、
前記未確定文字が入力されたところで、当該未確定文字に対応する前記予測変換候補を前記変換候補表示領域に表示させる予測変換候補表示手段と、
前記表示領域の全域における、前記変換候補表示領域と前記入力編集領域の領域割合を設定変更する表示制御手段と、を備え、
前記表示制御手段は、前記予測変換候補の選択操作を開始したところで、前記未確定文字に対応する前記予測変換候補の数に応じ、前記変換候補表示領域と前記入力編集領域の領域割合を設定変更することを特徴とする文字入力装置。
【請求項２】
前記変換候補表示領域は、入力された確定文字の印刷レイアウトを表示するレイアウト表示領域を兼ねており、
前記表示制御手段は、前記予測変換候補が確定したところで、前記変換候補表示領域を前記レイアウト表示領域に設定変更することを特徴とする請求項１に記載の文字入力装置。
【請求項３】
請求項１または２に記載の文字入力装置を備えたことを特徴とするテープ印刷装置。
【請求項４】
表示領域の全域が、複数の変換候補から成る予測変換候補を表示するための変換候補表示領域と、未確定文字の入力編集を行うための入力編集領域と、に区画設定された表示手段に対し、前記未確定文字が入力されたところで、当該未確定文字に対応する前記予測変換候補を前記変換候補表示領域に表示させた後、前記予測変換候補の選択操作を開始したところで、前記未確定文字に対応する前記予測変換候補の数に応じ、前記変換候補表示領域と前記入力編集領域の領域割合を設定変更することを特徴とする文字入力装置の表示制御方法。
【発明の詳細な説明】
【技術分野】
【０００１】
本発明は、入力された未確定文字に基づいて予測変換候補を表示する文字入力装置、テープ印刷装置および文字入力装置の表示制御方法に関するものである。
【背景技術】
【０００２】
従来、この種の文字入力装置として、予測変換機能を備えた携帯通信端末が知られている（特許文献１参照）。この携帯通信端末では、表示画面（表示部）の下半部または右半部に、入力された未確定文字から予測される予測変換候補を表示させている。
【先行技術文献】
【特許文献】
【０００３】
【特許文献１】特開２００２−１０１１７８号公報
【発明の開示】
【発明が解決しようとする課題】
【０００４】
しかしながら、従来の携帯通信端末では、表示領域の一部の領域にのみ予測変換候補を表示しているため、予測変換候補の変換候補数が多い場合には、ユーザはスクロール操作等を行って、所望の変換候補を選択せざる得ない場合があり、予測変換機能の使い勝手が悪いものとなる。
【０００５】
本発明は、予測変換機能の操作性を向上させることができる文字入力装置、テープ印刷装置および文字入力装置の表示制御方法を提供することを課題とする。
【課題を解決するための手段】
【０００６】
本発明の文字入力装置は、表示領域の全域が、複数の変換候補から成る予測変換候補を表示するための変換候補表示領域と、未確定文字の入力編集を行うための入力編集領域と、に区画設定された表示手段と、未確定文字が入力されたところで、当該未確定文字に対応する予測変換候補を変換候補表示領域に表示させる予測変換候補表示手段と、表示領域の全域における、変換候補表示領域と入力編集領域の領域割合を設定変更する表示制御手段と、を備え、表示制御手段は、予測変換候補の選択操作を開始したところで、未確定文字に対応する予測変換候補の数に応じ、変換候補表示領域と入力編集領域の領域割合を設定変更することを特徴とする。
これらの場合、変換候補表示領域は、入力された確定文字の印刷レイアウトを表示するレイアウト表示領域を兼ねており、表示制御手段は、予測変換候補が確定したところで、変換候補表示領域をレイアウト表示領域に設定変更することが好ましい。
本発明のテープ印刷装置は、上記の文字入力装置を備えたことを特徴とする。
本発明の文字入力装置の表示制御方法は、表示領域の全域が、複数の変換候補から成る予測変換候補を表示するための変換候補表示領域と、未確定文字の入力編集を行うための入力編集領域と、に区画設定された表示手段に対し、未確定文字が入力されたところで、当該未確定文字に対応する予測変換候補を変換候補表示領域に表示させた後、予測変換候補の選択操作を開始したところで、未確定文字に対応する予測変換候補の数に応じ、変換候補表示領域と入力編集領域の領域割合を設定変更することを特徴とする。
なお、以下の構成としても良い。
本発明の文字入力装置は、表示領域の全域に対し、複数の変換候補から成る予測変換候補を表示するための変換候補表示領域、および未確定文字の入力編集を行うための入力編集領域が設定された表示手段と、未確定文字に対応する予測変換候補を変換候補表示領域に表示させる予測変換候補表示手段と、表示領域の全域に対し、変換候補表示領域および入力編集領域の相互の領域割合を設定変更する表示制御手段と、を備えたことを特徴とする。
【０００７】
本発明の文字入力装置の表示制御方法は、表示領域の全域に対し、複数の変換候補から成る予測変換候補を表示するための変換候補表示領域、および未確定文字の入力編集を行うための入力編集領域が設定された表示手段に対し、未確定文字に対応する予測変換候補を変換候補表示領域に表示させるときに、表示領域の全域に対し、変換候補表示領域および入力編集領域の相互の領域割合を設定変更することを特徴とする。
【０００８】
これらの構成によれば、予測変換候補の表示を優先させる場合には、変換候補表示領域を広くし入力編集領域を狭くすることができる。一方、未確定文字の入力編集を優先させる場合には、変換候補表示領域を狭くし入力編集領域を広くすることができる。特に、変換候補表示領域を広く設定変更すれば、変換候補の表示数を増やし、或いは変換候補を大きく表示することができ、所望の文字列（変換候補）を容易に選択することができる。したがって、予測変換機能の操作性を向上することができると共に、入力編集作業を効率良く行うことができる。なお、文字には、仮名漢字、数字、ローマ字、絵文字等が含まれる。
【０００９】
この場合、予測変換候補の選択操作時に、表示制御手段は、領域割合を変換候補表示領域が１００％のときには入力編集領域を０％になるように設定変更することが好ましい。
【００１０】
この構成によれば、変換候補表示領域を表示手段の全域に設定（１００％）することができるので、表示手段自体が小さい場合でも、表示領域全域に多くの変換候補が表示される。これにより、視認性が向上して、スクロール操作が極端に少なくなり、所望の文字列をより容易に選択することができる。
【００１１】
この場合、表示制御手段は、領域割合を段階的に設定変更可能に構成されていることが、好ましい。
【００１２】
これらの構成によれば、変換候補表示領域における予測変換候補の変換候補の表示と、入力編集領域の表示とを同時に表示させることができ、入力編集領域の表示を確認しながら、予測変換候補の選択操作を行うことも可能となる。なお、変換候補の表示数に応じて、変換候補表示領域を段階的に広げ、これに伴い入力編集領域を段階的に狭くするようにすることが、好ましい。
【００１３】
これらの場合、変換候補表示領域は、入力された確定文字の印刷レイアウトを表示するレイアウト表示領域を兼ねており、表示制御手段は、変換候補表示領域とレイアウト表示領域との相互間で設定変更可能に構成されていることが、好ましい。
【００１４】
これら構成によれば、レイアウト表示領域に確定文字の印刷レイアウトを表示することができるので、表示領域を有効利用することができる。
【００１５】
本発明の他の文字入力装置は、表示領域の全域に対し、複数の変換候補から成る予測変換候補を表示するための変換候補表示領域、および未確定文字の入力編集を行うための入力編集領域が設定された表示手段と、未確定文字に対応する予測変換候補を変換候補表示領域に表示させる予測変換候補表示手段と、変換候補表示領域に表示される予測変換候補の書式を変更する表示制御手段と、を備えたことを特徴とする。
【００１６】
本発明の他の文字入力装置の表示制御方法は、表示領域の全域に対し、複数の変換候補から成る予測変換候補を表示するための変換候補表示領域、および未確定文字の入力編集を行うための入力編集領域が設定された表示手段に対し、未確定文字に対応する予測変換候補を変換候補表示領域に表示させるときに、変換候補表示領域に表示される予測変換候補の書式を変更することを特徴とする。
【００１７】
これらの構成によれば、予測変換候補の変換候補数が多い場合に、文字を小さくし、或いは行間、文字間を狭くする等の書式変更を行うことで、変換候補の表示数を増やすことができる。一方、変換候補数が少ない場合に、文字を大きくし、或いは行間、文字間を広くする等の書式変更を行うことで、変換候補の表示を見易くすることができる。したがって、予測変換機能の操作性を向上することができると共に、入力編集作業を効率良く行うことができる。
【００１８】
本発明のテープ印刷装置は、上記した文字入力装置を備えたことを特徴とする。
【００１９】
この構成によれば、予測変換機能の操作性を向上することができるテープ印刷装置を実現することができる。
【図面の簡単な説明】
【００２０】
【図１】本発明の実施形態に係るテープ印刷装置の閉蓋状態における外観斜視図である。
【図２】本実施形態に係るテープ印刷装置の開蓋状態における外観斜視図である。
【図３】ディスプレイの構成を示す模式図である。
【図４】テープ印刷装置の制御ブロック図である。
【図５】テープ印刷装置の入力編集中における制御動作を説明するためのディスプレイの表示遷移図である。
【図６】作成されたラベルの模式図である。
【図７】変形例に係るテープ印刷装置の制御動作を説明するためのディスプレイの表示遷移図である。
【図８】第２実施形態に係るテープ印刷装置の入力編集中における制御動作を説明するためのディスプレイの表示遷移図である。
【図９】作成されたラベルの模式図である。
【発明を実施するための形態】
【００２１】
以下、添付の図面を参照して、本発明の実施形態に係る文字入力装置を適用したテープ印刷装置について説明する。このテープ印刷装置は、予測変換機能を備えたものであり、入力された未確定文字に基づく予測変換候補をディスプレイに表示し、確定した印刷画像に基づいてラベルを作成するものである。
【００２２】
図１および図２に示すように、テープ印刷装置１は、処理テープ（印刷テープ）Ｔに対して印刷処理を行う装置本体１１と、処理テープＴおよびインクリボンＲを収容し、装置本体１１に着脱自在に装着されるテープカートリッジＣとを備えている。
【００２３】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７が配設されている。ここで、機能キー１５には、処理テープＴのテープ幅、テープ長および余白領域並びに文字等の書式等を設定する各種設定キー１５ａ、後述するディスプレイ２４に表示される選択肢を選択する上下（左右）キー１５ｂ、上記選択肢から所望の選択肢（文字列）を印刷画像として確定する確定キー１５ｃ、入力編集中の文字等を削除する削除キー１５ｄ、印刷処理を実行するための印刷キー１５ｅ等が含まれる。
【００２４】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２５】
図３に示すように、ディスプレイ（表示手段）２４は横長の表示画面を有し、表示画面の下部に設定された、入力編集を行うための入力編集領域２４ａと、表示画面の上部に設定された、確定した確定文字列（印刷画像）の印刷レイアウトを逐一表示するレイアウト表示領域２４ｂと、を備えている。レイアウト表示領域２４ｂには、検出したテープ幅と設定したテープ長とが小さく数値表示されると共に、入力編集により確定した印刷画像が、設定された印刷書式（文字サイズ・フォント等）に対応したレイアウトイメージで表示される。これにより、印刷画像の大きさ、配置バランスおよび余白領域等を印刷処理前に確認できるようになっている。具体的には、図３に示すレイアウト表示領域２４ｂには、テープ幅（１８ｍｍ）およびテープ長（４．５ｃｍ）に対して、確定した印刷画像（「今日は」）のレイアウトが、テープに相当する部分を陰ドットとし、文字に相当する部分を陽ドットとして反転表示されている。また、レイアウト表示領域２４ｂは、入力編集された未確定文字に対応する予測変換候補８３（図５参照）が表示される変換候補表示領域を兼ねており、入力編集の際には、レイアウト表示に代えて予測変換候補８３が表示される（詳細は後述する）。なお、ディスプレイ２４には、上記表示内容に加え、設定キー１５ａ等の操作により、各種設定メニュー等も表示される。
【００２６】
開閉蓋２１の内部には、テープカートリッジＣが装着されるカートリッジ装着部３１が窪入形成されており、カートリッジ装着部３１には、テープカートリッジＣから繰り出される処理テープＴに印刷処理を行う印刷ヘッド４１が配設されている（図２参照）。
【００２７】
装置ケース１２の左側部には、カートリッジ装着部３１と装置外部とを連通するテープ排出口３２が形成され、このテープ排出口３２に臨んで装置ケース１２には、処理テープＴを切断するためのカッタユニット３３が内蔵されている。また、図１および図２では省略したが、装置ケース１２の内部には、装置本体１１を統括制御する制御部６０（図４参照）を構成する回路基板が搭載されている。
【００２８】
カートリッジ装着部３１には、ヘッドカバー４０に覆われたサーマル方式の印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケースＣの裏面に形成された複数の被検出孔に対応してテープ識別センサ２６（図４参照）が設けられている。また、カートリッジ装着部３１には、プラテン駆動軸４３および巻取り駆動軸４４を駆動する印刷送りモータ４６（図４参照）や減速ギヤ列等（図示省略）が内蔵されている。
【００２９】
テープカートリッジＣは、カートリッジケース５０の内部に、処理テープＴを巻回したテープリール５１と、右下部にインクリボンＲを巻回したリボン繰出しリール５２およびリボン巻取りリール５３とを収容して構成されている。また、処理テープＴとインクリボンＲとが重なる部分に対応し、上記プラテン駆動軸４３に嵌合して回転駆動するプラテンローラ５５が配置されている。
【００３０】
テープカートリッジＣをカートリッジ装着部３１に装着すると、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、処理テープＴおよびインクリボンＲを挟み込んでプラテンローラ５５に当接し、印刷待機状態となる。入力編集により印刷データが生成されると、生成された印刷データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、リボン巻取りリール５３に巻き取られる。印刷処理後の処理テープＴは、印刷済み部分がカッタユニット３３により切断され、切断された処理テープＴがラベルとしてテープ排出口３２から外部に排出される。
【００３１】
処理テープＴは、テープ種別（テープ幅、テープ色、インクリボン色、テープ材質など）が異なる複数種のものが用意されており、裏面に粘着剤層が塗着された記録テープＴ１と、この粘着剤層により記録テープＴ１に貼付された剥離テープＴ２とから構成されている。カートリッジケース５０の裏面には、小さな複数の被検出孔（図示省略）が形成され、上記のテープ識別センサによってこの複数の被検出孔が検出されることにより、処理テープＴの種別を識別できるようになっている。
【００３２】
次に、図４を参照し、テープ印刷装置１の制御系について説明する。テープ印刷装置１は、操作部６１と、検出部６２と、印刷部６３と、切断部６４と、駆動部６５と、これら各部に接続して、テープ印刷装置１全体を制御する制御部６０と、を有している。
【００３３】
操作部６１は、キーボード１７上の文字入力キー１３、機能キー１５等からのデータ入力や、レイアウトキー１５ｆによる印刷データ等のディスプレイ２４への表示など、ユーザインタフェースとして機能する。検出部６２は、テープ識別センサ２６を有し、処理テープＴ（テープカートリッジＣ）の種別を検出する。印刷部６３は、テープカートリッジＣ、印刷ヘッド４１および印刷送りモータ４６を有し、生成された印刷データに基づいて印刷ヘッド４１により処理テープＴに印刷処理を行う。切断部６４は、処理テープＴを切断するフルカッタ３４及びこれを駆動するフルカッタモータ３５からなるカッタユニット３３を有し、印刷部６３で印刷処理済みの処理テープＴを所定長さとなるように切断し、ラベルを作成する。駆動部６５は、ディスプレイドライバ６６、ヘッドドライバ６７、印刷送りモータドライバ６８およびカッタモータドライバ６９を有し、各部を駆動する。
【００３４】
制御部６０は、ＣＰＵ（Central Processing Unit）７１と、ＣＰＵ７１で各種制御処理を行うための制御プログラムを有するＲＯＭ（Read Only Memory）７２、各種制御処理の作業領域となるＲＡＭ（Random Access Memory）７３と、テープ印刷装置１の各部と入力データや制御信号の入出力を行う入出力制御装置（以下、「ＩＯＣ：Input Output Controller」と称する）７４を備え、これらは互いに内部バス７５により接続されている。ＲＯＭ７２内には、仮名漢字、ローマ字、数字、絵文字等の複数の変換候補８４（図５参照）が登録された予測変換辞書７２ａと、予測変換辞書７２ａに基づいて、入力された未確定文字（未確定文字列）から予測される変換候補８４を抽出する予測変換候補抽出プログラム７２ｂと、複数の変換候補８４から成る予測変換候補８３をディスプレイ２４の変換候補表示領域２４ｂに表示する予測変換候補表示制御プログラム７２ｃと、が記憶されている。そして、ＣＰＵ７１は、上記の構成により、ＲＯＭ７２内の各種制御プログラムに従って、ＩＯＣ７４を介してテープ印刷装置１内の各部から各種信号・データを入力する。また、入力された各種信号・データに基づいてＲＡＭ７３内の各種データを処理し、ＩＯＣ７４を介してテープ印刷装置１内の各部に各種信号・データを出力することにより、入力編集処理（印刷データ生成処理）や印刷切断処理の制御を行う。
【００３５】
具体的には、ＣＰＵ７１は、入力編集中において、文字入力キー１３により文字等が入力されると、ディスプレイ２４の入力編集領域２４ａに入力された未確定文字列を表示すると共に、予測変換辞書７２ａおよび予測変換候補抽出プログラム７２ｂに従い、未確定文字列の先頭の一文字または数文字から予測される複数の変換候補８４を選び出し、予測変換候補表示制御プログラム７２ｃに従い、これら変換候補８４から成る予測変換候補８３を変換候補表示領域（レイアウト表示領域２４ｂ）に表示させる（予測変換候補表示手段）。ここで、未確定文字は、確定キー１５ｃにより確定されていない状態の入力文字を指し、確定文字は、確定キー１５ｃにより予測変換候補８３から確定された状態の文字（つまり、確定した変換候補８４）を指すものである。また、ＣＰＵ７１は、上下（左右）キー１５ｂによる予測変換候補８３の操作開始時に、変換候補８４の表示数を増やすように変換候補表示領域２４ｂをディスプレイ２４の全域に拡大する（表示制御手段）。
【００３６】
次に、図５のディスプレイ２４の表示遷移図を参照して、入力編集におけるテープ印刷装置１の制御動作について説明する。
【００３７】
ユーザにより、テープ印刷装置１の電源がＯＮ状態にされると、ディスプレイ２４に、入力編集領域２４ａおよびレイアウト表示領域２４ｂが表示される（図５（ａ）参照）。ここでは、レイアウト表示領域２４ｂの左側には、テープ識別センサ２６により検出された処理テープＴのテープ幅（１８ｍｍ）、および手動あるいは自動設定されたテープ長が表示されると共に、入力編集領域２４ａには、入力開始位置を示すカーソル８１が表示される。以下の入力編集例では、図６に示すラベル「愛」８０を作成するものとして説明を行う。
【００３８】
ユーザが、文字入力キー１３を押下して、文字「あ」（ローマ字入力にあっては「Ａ」）を入力すると、ＣＰＵ７１は、入力編集領域２４ａに入力された未確定文字「あ」８２を表示すると共に、これに対応して変換候補表示領域（レイアウト表示領域）２４ｂに、未確定文字「あ」８２に基づく複数の変換候補８４から成る予測変換候補８３を表示させる（図５（ｂ）参照）。図示のものでは、「相手」，「愛情」，「相性」，「あなた」の４個の変換候補８４が、変換候補表示領域２４ｂに表示されている。ここで、入力文字「あ」８２を誤入力した場合、削除キー１５ｄを押下して入力文字「あ」８２を削除すると、ディスプレイ２４は、図５（ａ）に示す初期状態に戻る。また、未確定文字に対応する予測変換候補８３が無い場合には、ディスプレイ２４は、図５（ａ）の初期状態のまま変わらない。
【００３９】
次に、上下キー１５ｂにより予測変換候補８３の選択操作を開始すると、ＣＰＵ７１は、予測変換候補８３の変換候補８４の表示数を増やすように変換候補表示領域２４ｂを、ディスプレイ２４の表示領域全域になるように領域割合を設定変更する（図５（ｃ）参照）。具体的には、変換候補表示領域２４ｂの先頭の変換候補８４（図示のものは変換候補「相手」８４ａ）が選択されて網掛け表示されると、表示領域全域に対し、変換候補表示領域２４ｂが１００％、入力編集領域２４ａが０％に設定変更され、これに対応して変換候補８４の表示数が増加する。ここで、広くなった変換候補表示領域２４ｃには、上記４個の変換候補８４（図５（ｂ）参照）に加え、「明日」，「愛」，「朝」，「あと」，「後」，「新しい」の６個の変換候補８４が追加表示されている。また、変換候補表示領域２４ｃの左側には、変換候補８４の表示数が表示されており、本実施形態では、変換候補８４が３０個あることが示されている。
【００４０】
そして、ユーザは、上下キー１５ｂにより３０個の変換候補８４のうち６番目に表示される変換候補「愛」８４ｂを選択し、確定キー１５ｃを操作して、これを変換候補８４に確定する（図５（ｄ）参照）。変換候補（確定文字）８４を確定すると、ＣＰＵ７１は、入力編集領域２４ａに、確定文字「愛」８５ａを表示すると共に、レイアウト表示領域２４ｂに確定文字「愛」の印刷レイアウト８６ａを表示する（図５（ｅ）参照）。この後、入力編集処理を続ける場合には、上記同様の処理を繰り返す。一方、確定文字（印刷画像）を印刷する場合には、印刷キー１５ｅの押下により、印刷部６３および切断部６４により印刷切断処理が実行され、ラベル８０が生成される。
【００４１】
以上のように、本実施形態によれば、予測変換候補８３の選択操作開始時に、変換候補８４の表示数を増やすように変換候補表示領域２４ｂを広くするので、変換候補８４が多い場合でも、これらを最大限表示することができ、所望の変換候補８４を容易に選択することができる。これにより、予測変換機能の操作性を向上することができる。なお、変換候補表示領域２４ｂ（入力編集領域２４ａ）の設定割合の変更は、例えば機能キー１５に設けた専用の切替キーにより、行うようにしてもよい。
【００４２】
次に、図７を参照して、本実施形態の変形例に係るテープ印刷装置１について説明する。この変形例では、表示制御手段は、予測変換候補８３の変換候補数に応じて、変換候補８４の表示数を増やすように変換候補表示領域２４ｂを広く（設定変更）している。以下、上記第１実施形態と異なる点を中心に説明する。
【００４３】
変換候補表示領域２４ｂに、複数の変換候補８４から成る予測変換候補８３が表示された状態から（図７（ｂ）参照）、予測変換候補８３の選択操作を開始すると、ＣＰＵ７１は、予測変換候補８３の変換候補数に応じて、変換候補８４の表示数を増やすように変換候補表示領域２４ｂを最大限広くする（図７（ｃ）参照）。図示のものでは、変換候補数が７個あることが示されており、変換候補表示領域２４ｄは、ディスプレイ２４の表示領域全域まで広がるのではなく、７個の変換候補８４が表示可能な領域まで広がる。これと同時に、広がった領域分だけ入力編集領域２４ａが狭くなる。これにより、予測変換候補８３の変換候補数が少ない場合でも、変換候補８４の表示されない無駄な領域を無くして、表示領域を有効利用することができる。
【００４４】
また、入力編集中において、予測変換候補表示とレイアウト表示とを、レイアウトキー１５ｆの操作により切替えられるようにしてもよい。また、レイアウトキー１５ｆとは別に、例えば機能キー１５に専用の切替キーを設けてもよい。
【００４５】
次に、図８を参照して、本発明の第２実施形態に係るテープ印刷装置１について説明する。本実施形態のテープ印刷装置１では、上記第１実施形態と異なり、表示制御手段が、変換候補表示領域２４ｂを段階的に広くするように設定変更がされると同時に、入力編集領域２４ａを段階的に狭くするように設定変更がされている。すなわち、ディスプレイ２４における変換候補表示領域２４ｂを広くし、その分入力編集領域２４ａを狭くする。なお、以下の入力編集例では、図９に示すラベル「新しい」９０を作成する場合を例に挙げて、第１実施形態と異なる点を中心に説明する。
【００４６】
テープ印刷装置１の電源がＯＮ状態にされると、ディスプレイ２４には、レイアウト表示領域２４ｂおよび入力編集領域２４ａが表示される（図８（ａ）参照）。文字入力キー１３により、文字「あ」が入力されると、入力編集領域２４ａに未確定文字「あ」８２が表示され、変換候補表示領域（レイアウト表示領域）２４ｂに、未確定文字「あ」８２に基づく複数の変換候補８４から成る予測変換候補８３が表示される（図８（ｂ）参照）。
【００４７】
次に、上下キー１５ｂにより予測変換候補８３の選択操作を開始すると、ＣＰＵ７１は、変換候補８４の表示数を増やすように変換候補表示領域２４ｂを段階的に広くすると共に、これに伴い入力編集領域２４ａを狭くする（図８（ｃ）参照）。具体的には、変換候補表示領域２４ｂが一段階（図示のものは表示領域の１行分）広くなり、その領域分だけ、入力編集領域２４ａが一段階狭くなる。この広くなった変換候補表示領域２４ｅには、４個の変換候補８４（図８（ｂ）参照）に加え、「明日」，「愛」，「朝」の３個の変換候補８４が追加表示される。
【００４８】
広くなった変換候補表示領域２４ｅ内において選択操作をさらに続行し、領域内の変換候補「明日」８４ｃが網掛け表示されると、ＣＰＵ７１は、変換候補８４の表示数をさらに増やすように、変換候補表示領域２４ｅをもう一段階広くすると共に、これに伴い入力編集領域２４ａをもう一段階狭くする（図８（ｄ）参照）。図示のものでは、拡大された変換候補表示領域２４ｆは、ディスプレイ２４の表示領域全域にまで広がり、この変換候補表示領域２４ｆには、「あと」，「後」，「新しい」の３個の変換候補８４が新たに追加表示されると共に、入力編集領域２４ａが非表示状態になっている。
【００４９】
次に、上下キー１５ｂおよび確定キー１５ｃの操作により、変換候補「新しい」８４ｄを変換候補８４として確定し（図８（ｅ）参照）、入力編集領域２４ａに、確定文字「新しい」８５ｂを表示すると共に、レイアウト表示領域２４ｂに確定文字「新しい」の印刷レイアウト８６ｂを表示する（図８（ｆ）参照）。そして、印刷キー１５ｅの押下により印刷切断処理が実行され、ラベル９０が生成される。
【００５０】
以上のように、本実施形態によれば、変換候補表示領域２４ｂを広くすると同時に、入力編集領域２４ａを狭くするように領域割合を設定変更するので、予測変換候補８３の選択操作と同時に入力編集の行われることのない入力編集領域２４ａを有効利用することができる。この場合も、段階的変更を専用の切替キーで行うようにしてもよい。
【００５１】
なお、上記実施形態では、予測変換候補８３の選択操作に追従させて、変換候補表示領域２４ｂ（入力編集領域２４ａ）を段階的に領域割合を変更する場合を例に説明したが、これに限定されるものではなく、例えば、機能キー１５等に拡大表示キーを設定し、このキー操作により段階的に表示領域を切替えるようにしてもよい。
【００５２】
また、上記実施形態では説明を省略したが、予測変換候補表示手段は、未確定文字列の確定をトリガとして、確定文字列に繋がり得る繋がり予測変換候補を変換候補表示領域２４ｂに表示する繋がり予測変換機能を備えていることは言うまでもない。この場合、ＲＯＭ７２内の予測変換辞書７２ａには、上記変換候補８４に加え、繋がり予測変換候補を構成する複数の繋がり変換候補が記憶されている。そして、ＣＰＵ７１は、確定文字列に繋がり得る繋がり予測変換候補がある場合には、予測変換辞書７２ａおよび予測変換候補抽出プログラム７２ｂに従い、確定文字列に繋がり得る繋がり変換候補を選び出し、予測変換候補表示制御プログラム７２ｃに従って、これら繋がり変換候補から成る繋がり予測変換候補を変換候補表示領域２４ｂに表示させる。
【００５３】
一方、図示しないが、初期状態における変換候補表示領域２４ｂおよび入力編集領域２４ａの領域割合を変更することなく、変換候補表示領域２４ｂに表示される予測変換候補の書式を変更するようにしてもよい。すなわち、上記の変換候補表示領域２４ｂを広げる（設定変更）機能に代えて、予測変換候補の候補数が多い場合に、その文字を小さくし、或いはその行間、文字間を狭くする等の書式変更を行う。これにより、変換候補の表示数を増やすことが可能となる。
【００５４】
また、上記の実施形態に示した、テープ印刷装置１の各構成要素（予測変換候補表示手段および表示制御手段）をプログラムとして提供することも可能である。また、そのプログラムを各種記録媒体（ＣＤ−ＲＯＭ、フラッシュメモリ等）に格納して提供することも可能である。
【符号の説明】
【００５５】
１…テープ印刷装置  ２４…ディスプレイ（表示手段）  ２４ａ…入力編集領域  ２４ｂ…レイアウト表示領域（変換候補表示領域）  ８３…予測変換候補  ８４…変換候補
【図１】
0005621890.tif 000002
【図２】
0005621890.tif 000003
【図３】
0005621890.tif 000004
【図４】
0005621890.tif 000005
【図５】
0005621890.tif 000006
【図６】
0005621890.tif 000007
【図７】
0005621890.tif 000008
【図８】
0005621890.tif 000009
【図９】
0005621890.tif 000010